(57)【要約】【課題】天井面における取付範囲内に装着可能であり薄型な照明器具を実現する。【解決手段】  長尺形状の照明器具１００であって、上面を造営材への取着面とした長尺形状の器具本体部１００と、器具本体部１００の下面側に配置される長尺形状の点灯回路部２２０と、点灯回路部２００の下方に配置される光源部２１０とを備え、器具本体部１００には、長手方向の中心付近に配線用孔１１４が開設されており、点灯回路部２２０は、長尺形状の回路基板２１２ａと回路基板２１２ａの上面に実装された複数の回路部品２１２ｂを有し、配線用孔１１４及び配線用孔の周辺領域と重なる回路基板上の第１領域２１２ａ１における点灯回路部２１２ｂの高さが、第１領域２１２ａ１に対し長手方向両側に各々位置する回路基板２１２ａ上の第２領域２１２ａ２及び第３領域２１２ａ３における点灯回路部２２０の高さよりも低い。【選択図】図８
2015088390.tif 000002
【特許請求の範囲】
【請求項１】
造営材の一面に取着される長尺形状の照明器具であって、
上面を前記造営材への取着面とした長尺形状の器具本体部と、
前記器具本体部の下面側に前記器具本体部と重ねて配置される長尺形状の点灯回路部と、
前記点灯回路部の下方に前記点灯回路部と重ねて配置され、前記点灯回路部から電力の供給を受けて発光する半導体発光素子を有する光源部とを備え、
前記器具本体部には、長手方向の中心付近に前記上面と前記下面とを貫通する配線用孔が開設されており、
前記点灯回路部は、長尺形状の回路基板と前記回路基板の上面に実装された複数の回路部品を有し、
前記回路基板を平面視したとき、前記配線用孔及び前記配線用孔の周辺領域と重なる前記回路基板上の第１領域における前記点灯回路部の高さが、
前記第１領域に対し前記長手方向両側に各々位置する前記回路基板上の第２及び第３領域における前記点灯回路部の高さよりも低い
照明器具。
【請求項２】
前記点灯回路部の長手方向の長さは、長手方向において前記器具本体部の長さの１／２以上である
請求項１に記載の照明器具。
【請求項３】
さらに、商用電源から前記点灯回路部に電力を供給する配線部材を備え、
前記配線部材は、前記配線用孔から前記器具本体部下面側に挿通され、前記点灯回路部の前記第１領域上方で屈曲し前記点灯回路部に電気的に接続される
請求項１に記載の照明器具。
【請求項４】
前記複数の回路部品のうち、前記回路基板上の第１領域に実装されている最も高い回路部品の高さは、前記回路基板上の第２又は第３領域に実装されている最も高い回路部品の高さよりも低い
請求項１に記載の照明器具。
【請求項５】
前記回路基板上の第１領域の上方には前記回路部品が実装されていない
請求項１に記載の照明器具。
【請求項６】
前記点灯回路部は、入力フィルタ回路、整流回路、昇圧ＤＣ−ＤＣコンバータ回路、降圧ＤＣ−ＤＣコンバータ回路を備え、
前記回路基板上の第２領域には、入力フィルタ回路、昇圧ＤＣ−ＤＣコンバータ回路が存し、
前記回路基板上の第３領域には、降圧ＤＣ−ＤＣコンバータ回路が存する
請求項４又は５の何れかに記載の照明器具。
【請求項７】
前記配線部材は、前記点灯回路部の長手方向の一端部から前記点灯回路部に接続され、前記点灯回路部の前記一端部と長手方向反対側に位置する他端部に位置する接続端子を介して前記半導体発光素子に電力を供給する
請求項３に記載の照明器具。
【請求項８】
前記光源部及び前記点灯回路部は発光ユニットを構成し、
前記器具本体部は、前記発光ユニットを保持する
請求項１に記載の照明器具。
【請求項９】
前記器具本体部は、前記発光ユニットが前記長手方向と垂直な前記発光ユニットの短手方向の一端部を回転軸として回動することにより、前記発光ユニットを着脱可能に保持する
請求項８に記載の照明器具。
【請求項１０】
前記器具本体部は、前記発光ユニットが器具本体部に対し鉛直方向に相対移動することにより、前記発光ユニットを着脱可能に保持する
請求項８に記載の照明器具。
【発明の詳細な説明】
【技術分野】
【０００１】
本発明は、照明器具に関し、特に、光源に電力を供給するための点灯回路、照明器具本体の構造に関する。
【背景技術】
【０００２】
従来より、光源部にＬＥＤ（Ｌｉｇｈｔ  Ｅｍｉｔｔｉｎｇ  Ｄｉｏｄｅ）等の半導体発光素子を用い、長手方向に沿って伸びる長尺形状であって、天井に取り付けられる天井直付け型の照明器具が提供されている（例えば特許文献１）。このような照明器具は、半導体発光素子を備えた光源部と、商用交流電力をＬＥＤを点灯させるための直流電力に変換する点灯回路部を備えている。そのため、点灯回路部に対し商用交流電力を供給するために天井面から照明器具内部への配線が必要となる。
【先行技術文献】
【特許文献】
【０００３】
【特許文献１】特開２０１１−１４２０６３号公報
【発明の概要】
【発明が解決しようとする課題】
【０００４】
天井直付け型の照明器具においては、天井面において照明器具を取り付けるべき所定の範囲（以後、「取付範囲」と略称する）は室内デザインの設計により予め定められている場合が多い。そのため、照明器具を取付範囲内に収まるよう天井面に装着することが必要である。そして、その際、照明器具に商用交流電力を供給するために配線部材は、この取付範囲の中心付近に配されている。そのため、照明器具を効率よく取付範囲内に装着するためには、照明器具の中心付近において配線部材を器具内部へ導入する構造であることが好ましい。
【０００５】
また、天井直付け型の照明器具においては、デザイン上天井面からの突出量が少なく、天井面に複数の照明器具を装着する場合には各々の突出量が同じであることが求められている。そのために照明器具が薄く、かつ厚さが器具間で同一であることが求められる。
本発明は、上記問題点に鑑み、天井面における取付範囲内に装着可能であり、照明器具の薄型化が図れる照明器具を提供することを目的とする。
【課題を解決するための手段】
【０００６】
上記目的を達成するために、本発明の一態様に係る照明器具は、造営材の一面に取着される長尺形状の照明器具であって、上面を前記造営材への取着面とした長尺形状の器具本体部と、前記器具本体部の下面側に前記器具本体部と重ねて配置される長尺形状の点灯回路部と、前記点灯回路部の下方に前記点灯回路部と重ねて配置され、前記点灯回路部から電力の供給を受けて発光する半導体発光素子を有する光源部とを備え、前記器具本体部には、長手方向の中心付近に前記上面と前記下面とを貫通する配線用孔が開設されており、前記点灯回路部は、長尺形状の回路基板と前記回路基板の上面に実装された複数の回路部品を有し、前記回路基板を平面視したとき、前記配線用孔及び前記配線用孔の周辺領域と重なる前記回路基板上の第１領域における前記点灯回路部の高さが、前記第１領域に対し前記長手方向両側に各々位置する前記回路基板上の第２及び第３領域における前記点灯回路部の高さよりも低いことを特徴とする。
【発明の効果】
【０００７】
本発明の一態様に係る照明器具によれば、上記した構成におり、照明器具を天井の取付範囲内に納めるとともに、照明器具の高さ方向の寸法は概ね器具本体部と発光ユニットを合わせた正味の寸法となる。これにより、天井面における取付範囲内に装着可能であり、かつ、薄型化が可能な照明器具を提供することができる。
【図面の簡単な説明】
【０００８】
【図１】実施の形態に係る照明器具１０００を斜め下方から見た外観斜視図である。
【図２】実施の形態に係る照明器具１０００の器具本体部１００と発光ユニット２００とが分離された状態を示す斜め下方から見た斜視図である。
【図３】実施の形態に係る照明器具１０００の発光ユニット２００の斜め上方から見た斜視図である。
【図４】実施の形態に係る照明器具１０００の発光ユニット２００の斜め下方から見た分解斜視図である。
【図５】実施の形態に係る照明器具１０００の点灯回路２２１の回路構成を示す回路図である。
【図６】実施の形態に係る照明器具１０００の点灯回路２２１の実装構成を示す実装図であって、（ａ）は、回路基板２２１ａ上面の実装図、（ｂ）は回路基板２２１ａ下面の実装図である。
【図７】実施の形態に係る照明器具１０００の点灯回路２２１の外観斜視図である。
【図８】実施の形態に係る照明器具１０００を、図１における断面Ｂ−Ｂで切った断面図である。
【図９】実施の形態に係る照明器具１０００において、照明器具に発光ユニットが取り付けられる状態を示す図１における断面Ａ−Ａで切った断面図である。（ａ）は、照明器具の係合孔に発光ユニットの係合爪が挿入された状態を示す断面図、（ｂ）は、電源部の一部が照明器具の収容凹部内に収容された状態を示す断面図、（ｃ）は、発光ユニットの照明器具への取り付けが完了した状態を示す断面図である。
【図１０】実施の形態に係る照明器具１０００の構成の一例である６０ｃｍ長の照明器具を示す概略図であって、（ａ）は横断面図、（ｂ）は下面より視した投影図である。
【図１１】実施の形態に係る照明器具１０００の構成一例である１２０ｃｍ長の照明器具を示す概略図であって、（ａ）は横断面図、（ｂ）は下面より視した投影図である。
【図１２】発明者が想定した６０ｃｍ長の照明器具の一例を示す比較例の概略図であって、（ａ）は横断面図、（ｂ）は下面より視した投影図である。
【図１３】発明者が想定した６０ｃｍ長の照明器具の一例を示す比較例の概略図であって、（ａ）は横断面図、（ｂ）は下面より視した投影図である。
【図１４】発明者が想定した６０ｃｍ長の照明器具の構成を示す比較例の概略図であって、（ａ）は横断面図、（ｂ）は下面より視した投影図である。
【図１５】発明者が想定した照明器具の一例を示す比較例の概略図であって、（ａ）は横断面図、（ｂ）は下面より視した投影図である。
【図１６】（ａ）は、変形例に係る照明器具１０００Ａの器具本体部１００Ａと発光ユニット２００Ａとが分離された状態を示す斜め下方から見た斜視図である。（ｂ）は、照明器具１０００Ａにおいて、図１における断面Ａ−Ａと同じ位置で切った断面図である。
【図１７】天井面における天井直付け型の照明器具の取付範囲と、照明器具に商用交流電力を供給するために配線部材の位置を示す模式図である。
【図１８】発明者が想定した照明器具の一例を示す概略図であって、（ａ）は横断面図、（ｂ）は下面より視した投影図である。
【図１９】発明者が想定した６０ｃｍ長の照明器具の一例を示す概略図であって、（ａ）は横断面図、（ｂ）は下面より視した投影図である。
【図２０】発明者が想定した６０ｃｍ長の照明器具の一例を示す概略図であって、（ａ）は横断面図、（ｂ）は下面より視した投影図である。
【図２１】発明者が想定した６０ｃｍ長の照明器具の一例を示す概略図であって、（ａ）は横断面図、（ｂ）は下面より視した投影図である。
【発明を実施するための形態】
【０００９】
≪本発明を実施するための形態に到った経緯について≫
上述のとおり、天井直付け型の照明器具においては、天井面において照明器具取り付けるべき取付位置は室内デザインの設計により予め定められている場合が多い。
図１７は、天井面における天井直付け型の照明器具の取付範囲と、照明器具に商用交流電力を供給するために配線部材の位置を示す模式図である。図１７に示すように、天井１には、破線で示される天井直付け型の照明器具の取付範囲２及び３が既定されている。各取付範囲は、横方向に沿って伸びた長尺矩形形状である。取付範囲２は横方向の長さＸ1は例えば１２０ｃｍであり、取付範囲3は横方向の長さＸ2は例えば６０ｃｍに設定されている。このように、長手方向寸法の異なる長尺状の照明器具を組合せて用いることにより、天井寸法に合わせて照明器具を配置することができる。そして、各取付範囲２又は３の中心付近には、照明器具に商用交流電力を供給するために配線用孔４が開設されている。
【００１０】
図１８は、発明者が想定した照明器具の構成の一例を示す概略図であって、（ａ）は横断面図、（ｂ）は下面より視した投影図である。天井面の取付範囲２に装着する１２０ｃｍ長の照明器具５の構成の一例を示したものである。
図１８（ａ）及び（ｂ）に示すように、照明器具５は、筐体を構成する器具本体部６の下面に、半導体発光素子（不図示）を備えた光源部８と、器具本体部６内に光源部８に電力を供給するための点灯回路部７を備える。点灯回路部７は、回路基板７ａに回路部品７ｂが実装された点灯回路を有する構成である。点灯回路部７の寸法は、器具本体部６の幅方向（Ｙ方向）及び高さ方向（Ｚ方向）において、器具本体部６の寸法をほぼ占めるように構成されている。一方、器具本体部６の長手方向（Ｘ方向）においては、点灯回路部７の寸法は器具本体部６の長さの１／２以下に構成され、点灯回路部７は長手方向の中心よりも右方に配置されている。天井１における取付範囲２の中心付近には配線用孔４が開設されており、配線用孔４から点灯回路部７に商用交流電力を供給するために配線部材９が器具本体部６内に導入されている。そして、配線部材９の先端は器具本体部６内の右方に位置する点灯回路部７の左端部に接続されている。
【００１１】
図１８（ｂ）に示すように、照明器具５は、天井１の取付範囲２内に収まるように装着されている。そして、このときの照明器具５の天井１からの高さは、図１８（ａ）に示すようにＨ1となる。
次に、図１７における天井１の取付範囲３に装着される６０ｃｍ長の照明器具の場合について説明する。図１９、２０、２１、は、発明者が想定した６０ｃｍ長の照明器具の構成の一例を示す概略図であって、（ａ）は横断面図、（ｂ）は下面より視した投影図である。天井面の取付範囲３に装着する６０ｃｍ長の照明器具の構成の一例を示したものである。
【００１２】
図１９（ａ）及び（ｂ）に示すように、照明器具１５は、筐体を構成する器具本体部１６の下面に、半導体発光素子（不図示）を備えた光源部１８と、器具本体部１６内に光源部１８に電力を供給するための点灯回路部７を備える。器具本体部１６と光源部１８は長手方向の長さが６０ｃｍに構成されている。点灯回路部７は１２０ｃｍ長の照明器具５と同じものである。６０ｃｍ長の照明器具においても１２０ｃｍ長の照明器具と同じ輝度が求められるケース場合があることを考慮したものである。
【００１３】
点灯回路部７の幅は、器具本体部１６の幅方向（Ｙ方向）において、器具本体部６の幅全体をほぼ占めるように構成されている。一方、器具本体部１６の長手方向（Ｘ方向）においても、点灯回路部７の長さは器具本体部１６の長さ全体をほぼ占めるように構成されている。天井１における取付範囲３の中心付近には配線用孔４が開設されており、配線用孔４から配線部材１９が点灯回路部７の上方から器具本体部１６内に導入されている。そして、配線部材１９の先端は器具本体部１６内の点灯回路部７の左端部に接続されている。このとき、点灯回路部７の上方には、配線部材１９が配線用孔４から器具本体部１６内に入り左方に向けて屈曲するための空間が必要であり、器具本体部６の高さ方向（Ｚ方向）の寸法は、点灯回路部７の高さとこの空間とを加えた高さＨ2となる。そのため、図１９（ｂ）に示すように、照明器具１５は、天井１の取付範囲３内に収まるように装着されるものの、照明器具１５の天井１からの高さＨ2は、図１８（ａ）に示すＨ1よりも高くなり、照明器具のデザイン上問題となる。
【００１４】
次に、図２０（ａ）及び（ｂ）に示すように、照明器具２５は、器具本体部２６、光源部２８、点灯回路部２７を備え、器具本体部２６と光源部２８の長手方向の長さは６０ｃｍであり、点灯回路部２７の出力は点灯回路部７の出力と同じである。そして、点灯回路部２７は、点灯回路部７に対してＸ方向の寸法が小さくＹ方向の寸法とが大きく構成されている。そのため、器具本体部２６の長手方向（Ｘ方向）においては、点灯回路部２７の長さは器具本体部２６の寸法の１／２以下に構成され、点灯回路部２７は器具本体部２６の長手方向の中心よりも右方に収容される。そして、天井１における取付範囲３の中心付近に開設された配線用孔４から器具本体部２６内に導入された配線部材２９の先端は点灯回路部２７の左端部に接続されている。その結果、器具本体部２６の高さ方向（Ｚ方向）の高さＨ3は、点灯回路部２７の高さが器具本体部２６の高さをほぼ占めるように構成されており、図１８（ａ）に示すＨ1と等価になる。しかしながら、点灯回路部２７の幅方向（Ｙ方向）の寸法は点灯回路部７に対して大きく構成されているために、照明器具２５の幅方向（Ｙ方向）寸法は、図１８（ａ）に示す照明器具５の幅方向（Ｙ方向）寸法よりも大きくなり、取付範囲３内に収容することができずデザイン上問題となる。
【００１５】
次に、図２１（ａ）及び（ｂ）に示すように、照明器具３５は、長手方向の長さが６０ｃｍである器具本体部３６と光源部３８、及び照明器具５と同じ点灯回路部７を備える。器具本体部３６の長手方向（Ｘ方向）においては、点灯回路部７の長さは器具本体部３６の長さのほぼ全体を占めるよう構成されている。そのため、器具本体部３６内に配線部材３９を導入する開口は器具本体部３６の中心より左方にオフセットされている。その結果、天井１における取付範囲３の中心付近に開設された配線用孔４から上記開口を通して器具本体部３６内に導入された配線部材３９の先端は、点灯回路部７の左端部に接続されている。器具本体部３６の高さ方向（Ｚ方向）の高さＨ4は、点灯回路部７の高さが器具本体部３６の高さをほぼ占めるように構成されており、図１８（ａ）に示すＨ1と等価になる。しかしながら、図２１（ａ）及び（ｂ）に示すように、器具本体部３６は天井１における取付範囲３から右方にオフセットされ、照明器具５を取付範囲３内に装着することができずデザイン上問題となる。
【００１６】
このように、６０ｃｍ長等、長手方向の長さが相対的に短い長尺形状の照明器具については、天井１の取付範囲３内に装着するには点灯回路部の構成上課題がある。
さらに、光源部の出力や機能（例えば調光機能など）が異なると、点灯回路に要求される性能も異なる。従って、光源部を新しいものに取り換える場合、点灯回路もそれに適したものに取り換えるのが好ましい。そのため、光源部や点灯回路部の照明器具に対する着脱が容易であることが好ましい。例えば、光源と電源部とが光源の上方に回路部品を下方に向けて載設された回路基板とが一体化された発光ユニットが取り付けられる構成とし、器具本体部から容易に発光ユニットを着脱できる構成であることが好ましい。
【００１７】
そこで、発明者は、上記課題に鑑み、天井面における取付範囲内に装着可能であり、照明器具の薄型化が図れ、さらに、光源部及び点灯回路着脱の際の作業性がよい照明器具の構成ついて鋭意検討を行い、実施の形態に記載の照明器具に想到したものである。
≪本発明を実施するための形態の概要≫
上記目的を達成するために、本実施の形態に係る照明器具は、造営材の一面に取着される長尺形状の照明器具であって、上面を前記造営材への取着面とした長尺形状の器具本体部と、前記器具本体部の下面側に前記器具本体部と重ねて配置される長尺形状の点灯回路部と、前記点灯回路部の下方に前記点灯回路部と重ねて配置され、前記点灯回路部から電力の供給を受けて発光する半導体発光素子を有する光源部とを備え、前記器具本体部には、長手方向の中心付近に前記上面と前記下面とを貫通する配線用孔が開設されており、前記点灯回路部は、長尺形状の回路基板と前記回路基板の上面に実装された複数の回路部品を有し、前記回路基板を平面視したとき、前記配線用孔及び前記配線用孔の周辺領域と重なる前記回路基板上の第１領域における前記点灯回路部の高さが、前記第１領域に対し前記長手方向両側に各々位置する前記回路基板上の第２及び第３領域における前記点灯回路部の高さよりも低いことを特徴とする。
【００１８】
また、別の態様では、前記点灯回路部の長手方向の長さは、長手方向において前記器具本体部の長さの１／２以上である構成としてもよい。
また、別の態様では、さらに、商用電源から前記点灯回路部に電力を供給する配線部材を備え、前記配線部材は、前記配線用孔から前記器具本体部下面側に挿通され、前記点灯回路部の前記第１領域上方で屈曲し前記点灯回路部に電気的に接続される構成としてもよい。
【００１９】
また、別の態様では、前記複数の回路部品のうち、前記回路基板上の第１領域に実装されている最も高い回路部品の高さは、前記回路基板上の第２又は第３領域に実装されている最も高い回路部品の高さよりも低い構成としてもよい。
また、別の態様では、前記回路基板上の第１領域の上方には前記回路部品が実装されていない構成としてもよい。
【００２０】
また、別の態様では、前記点灯回路部は、入力フィルタ回路、整流回路、昇圧ＤＣ−ＤＣコンバータ回路、降圧ＤＣ−ＤＣコンバータ回路を備え、前記回路基板上の第２領域には、入力フィルタ回路、昇圧ＤＣ−ＤＣコンバータ回路が存し、前記回路基板上の第３領域には、降圧ＤＣ−ＤＣコンバータ回路が存する構成としてもよい。
また、別の態様では、前記配線部材は、前記点灯回路部の長手方向の一端部から前記点灯回路部に接続され、前記点灯回路部の前記一端部と長手方向反対側に位置する他端部に位置する接続端子を介して前記半導体発光素子に電力を供給する構成としてもよい。
【００２１】
また、別の態様では、前記光源部及び前記点灯回路部は発光ユニットを構成し、前記器具本体部は、前記発光ユニットを保持する構成としてもよい。
また、別の態様では、前記器具本体部は、前記発光ユニットが前記長手方向と垂直な前記発光ユニットの短手方向の一端部を回転軸として回動することにより、前記発光ユニットを着脱可能に保持する構成としてもよい。
【００２２】
また、別の態様では、前記器具本体部は、前記発光ユニットが器具本体部に対し鉛直方向に相対移動することにより、前記発光ユニットを着脱可能に保持する構成としてもよい。
以下、実施の形態に係る照明器具について、図面を参照しながら説明する。
≪実施の形態≫
＜１．構成概要＞
図１は、実施の形態に係る照明器具１０００を斜め下方から見た外観斜視図である。図２は、照明器具１０００の器具本体部１００と発光ユニット２００とが分離された状態を示す斜め下方から見た斜視図である。図３は、照明器具１０００の発光ユニット２００の斜め上方から見た斜視図である。なお、本明細書において、Ｚ方向を上とし、Ｚ方向と反対方向（以下、「−Ｚ方向」という。）を下とする。照明器具１０においては、光の主出射方向は下方（−Ｚ方向）である。
【００２３】
照明器具１０００は、例えば、ビルやオフィスの天井などに取り付けられる、所謂ベースライトである。照明器具１０００は、長尺な形状を有し、所謂直管形蛍光灯の代替用途に用いられる。照明器具１０００は、長尺な形状であればよく、長手方向の長さは特定の寸法に限定されるものでない。照明器具１０００の長手方向の長さは、例えば、６０ｃｍ、１２０ｃｍ、１５０ｃｍ等であってもよい。
【００２４】
図１に示すように、照明器具１０００は、器具本体部１００と、発光ユニット２００とで構成されている。器具本体部１００は、天井等に取り付けられ、発光ユニット２００を着脱可能に保持する。発光ユニット２００は、光源としてのＬＥＤ２１２ｂ（図４参照）を有し、器具本体部１００の下側部分に取り付けられる。
この照明器具１０００は、造営材である天井の下面側からビス（不図示）等を用いて装着され、照明器具１０００から下方に光が出射される。
【００２５】
＜２．各部構成＞
（発光ユニット２００）
図４は、照明器具１０００の発光ユニット２００の斜め下方から見た分解斜視図である。発光ユニット２００は、図２、図３及び図４に示すように、主な構成要素として、光源部２１０、点灯回路部２２０等を有する。
【００２６】
［１．光源部２１０］
図４に示すように、光源部２１０は、主な構成要素として取付部材２１１、ＬＥＤ基板２１２、フロントカバー２１３等を有する。
（１）ＬＥＤ基板２１２
ＬＥＤ基板２１２は、主な構成要素として、プリント基板２１２ａ、ＬＥＤ２１２ｂ、および、コネクタ２１２ｃ、コネクタ２１２ｄ等を有する。プリント基板２１２ａは、ポリイミド等の絶縁性の材料から成る平面視矩形状で長尺な板状の部材であり、その下面上に長手方向に沿って複数のＬＥＤ２１２ｂが配列されている。プリント基板２１２ａの長手方向における両端には、ＬＥＤ２１２ｂと点灯回路部２２０とを電気的に接続するためのコネクタ２１２ｃ、コネクタ２１２ｄがそれぞれ配置されている。なお、図４においては図示していないが、プリント基板２１２ａ上には、各ＬＥＤ２１２ｂを電気的に接続するプリント配線が形成されている。
【００２７】
（２）取付部材２１１
取付部材２１１は、板金に曲げ加工を施して断面がＵ字状に形成された長尺な部材である。Ｕ字の底に相当する部分には、その中央部分が上方に凹入して平坦な底面部（下面）２１１ａが形成されている。Ｕ字の両側辺に相当する部分は、側面部２１１ｂとなっている。底面部２１１ａは、長手方向に長尺な平面視矩形の平面であり、ＬＥＤ基板２１２が取り付けられる領域である。底面部２１１ａの長手方向における両端部には、配線を通すための貫通孔である配線用孔２１１ｃがそれぞれ１つずつ形成されている。本実施の形態においては、底面部２１１ａには、２個のＬＥＤ基板２１２が直列に取り付けられ、コネクタ２１２ｄ同士が配線で電気的に接続されることにより、２個のＬＥＤ基板２１２が互いに電気的に接続される。底面部２１１ａの長手方向における中央部には、底面部２１１ａの一部を上方に凹入させることにより形成された平面視矩形の凹部２１１ｄが設けられている。この凹部２１１ｄは、両ＬＥＤ基板２１２を取付部材２１１に取り付けた状態で、コネクタ２１２ｄと取付部材２１１の底面部２１１ａとの間の絶縁距離を確保するためのものである。
【００２８】
（３）フロントカバー２１３
フロントカバー２１３は、両端が閉口した円筒を筒軸に沿って２つに切断した一方のような形状を有し、ＬＥＤ基板２１２が取り付けられた取付部材２１１の下側を覆う。円筒の筒壁（が半分に切断されたもの）に相当する部分であるフロントカバー本体２１３ａは、透光性を有する材料から成り、光拡散処理が施されている。透光性を有する材料としては、アクリル樹脂等の樹脂や、ガラス等が用いられる。光拡散処理としては、表面に微細な凹凸を無数に形成するフロスト加工を施す方法や、シリカ等の光を拡散させる微粒子を樹脂やガラスに混入させる方法等が挙げられる。円筒の筒底（が半分に切断されたもの）に相当する部分である端部２１３ｂは、半円板状の部材であり、透光性を有する材料によりフロントカバー本体２１３ａと一体的に形成されている。なお、端部２１３ｂは、必ずしも透光性を有する材料から形成されていなくてもよい。端部２１３ｂが透光性を有しない材料から形成される場合には、フロントカバー本体２１３ａとは別部材として形成された後、フロントカバー本体２１３ａの長手方向における両端にそれぞれ取り付けられてもよい。
【００２９】
［２．点灯回路部２２０］
点灯回路部２２０は、外部から受電した商用交流電力を変換してＬＥＤ２１２ｂ点灯用の直流電力を生成し、ＬＥＤ２１２ｂに供給するためのものであり、取付部材２１１の上面２１１ｅ上に固定されている。点灯回路部２２０は、主な構成要素として、点灯回路２２１、点灯回路２２１を内部に収容する回路ケース２２２、および、点灯回路２２１と回路ケース２２２との間の電気的絶縁を確保するための絶縁シート２２３を有する。
【００３０】
点灯回路部２２０は、６０ｃｍ長の照明器具においても１２０ｃｍ長の照明器具と同じものを用いることができる。６０ｃｍ長の照明器具においても１２０ｃｍ長の照明器具と同じ輝度が求められるケース場合があることを考慮したものであり、点灯回路部２２０の互換性を高めることができる。
（１）点灯回路２２１
Ａ）概要
点灯回路２２１は、主な構成要素として、長手方向に長尺な平面視矩形の板状部材である回路基板２２１ａと、回路基板２２１ａ上に実装された各種回路部品２２１ｂとを有する。
【００３１】
回路部品２２１ｂには、ＬＥＤ２１２ｂ点灯用の直流電力を生成するために必要な部品（例えば、トランス、ダイオード、コンデンサ等）が含まれる。なお、図４においては、回路部品２２１ｂの一部にのみ符号を付している。
Ｂ）回路構成の概要
次に、点灯回路２２１の回路構成について、図面を用いて説明する。図５は、照明器具１０００の点灯回路２２１の回路構成を示す回路図である。
【００３２】
図５に示すように、点灯回路２２１は、ＬＥＤ２１２ｂが搭載されたＬＥＤ基板２１２と、商用の交流電源ＡＣに接続されＬＥＤ２１２ｂに直流電流を供給し点灯させる。
ＬＥＤ基板２１２は、複数個のＬＥＤ２１２ｂを直列または並列または直並列接続したＬＥＤモジュールである。図５では３個のＬＥＤ２１２ｂを直列に接続した例を示す。
点灯回路２２１は、入力フィルタ回路１２２１、整流回路１２２２、昇圧チョッパ回路１２２３及び降圧チョッパ回路１２２５を備える。さらに、昇圧チョッパ回路制御部Ｕ１、降圧チョッパ回路制御部Ｕ２及び制御電源電圧生成回路１２２４を備える。
【００３３】
点灯回路２２１の入力側は入力端子１２２０ａ、１２２０ｂを介して商用の交流電源ＡＣ（例えば、１００Ｖ、５０／６０Ｈｚ）に、出力側は出力端子１２２６ａ、１２２６ｂを介してＬＥＤ２１２ｂにそれぞれ接続されている。この点灯回路２２１は、交流電源ＡＣから供給される交流電力をＬＥＤ２１２ｂを点灯させるための電力に変換してＬＥＤ２１２ｂへ出力する。ＬＥＤ２１２ｂはその電流の大きさに応じた明るさで点灯する。なお、商用の交流電源ＡＣは、例えば他の電圧（２００Ｖ，２２０Ｖ，２４２Ｖ等）であってもよい。
【００３４】
Ｃ）各回路の構成
以下、点灯回路２２１内の各回路の構成について説明する。
入力端子１２２０ａ、１２２０ｂは、入力フィルタ回路１２２１、ダイオードブリッジＤＢからなる整流回路１２２２を介して昇圧チョッパ回路１２２３に接続されている。入力フィルタ回路１２２１、整流回路１２２２は、交流電源ＡＣから供給される交流電圧を全波整流し、これを平滑コンデンサＣ１が平滑化する。
【００３５】
昇圧チョッパ回路１２２３は、整流回路１２２２の後段に設けられ、整流回路１２２２からの出力電圧を所望の電圧に変換する、いわゆる昇圧式のＤＣ−ＤＣコンバータである。
昇圧チョッパ回路１２２３は、インダクタＴ１と、Ｎチャネル型のスイッチング素子Ｑ１と、コンデンサＣ１と、ダイオードＤ１と、電解コンデンサＣ２とからなる。インダクタＴ１の一端は、コンデンサＣ１の一端に接続され、インダクタＴ１の他端は、スイッチング素子Ｑ１を介してコンデンサＣ１の他端に接続されている。スイッチング素子Ｑ１のドレインは、ダイオードＤ１を介して平滑コンデンサＣ２の一端に接続され、スイッチング素子Ｑ１のソースは、平滑コンデンサＣ２の他端に接続されている。また、スイッチング素子Ｑ１のゲートは、昇圧チョッパ回路制御部Ｕ１に接続されている。
【００３６】
スイッチング素子Ｑ１は、昇圧チョッパ回路制御部Ｕ１から供給されるゲート信号に基づきオンオフのスイッチング動作を行う。
昇圧チョッパ回路制御部Ｕ１の出力端は、スイッチング素子Ｑ１のゲートに接続される。昇圧チョッパ回路制御部Ｕ１は、ゲート信号を供給することでスイッチング素子Ｑ１のオンオフ制御を行う。Ｑ１がオンしている期間にはインダクタＴ１にエネルギーが蓄積され、オフしている期間にインダクタＴ１のエネルギーがダイオードＤ１を介して電解コンデンサＣ２を充電する。これにより、平滑コンデンサＣ１から供給される直流電圧を所望の電圧に昇圧する。
【００３７】
降圧チョッパ回路１２２５は、昇圧チョッパ回路１２２３から供給される直流電圧を、ＬＥＤ２１２ｂを点灯させるための電圧に変換する、いわゆる降圧式のＤＣ−ＤＣコンバータである。降圧チョッパ回路１２２５は出力端子１２２６ａ、１２２６ｂに接続され、出力端子１２２６ａ、１２２６ｂにはＬＥＤ基板２１２が接続される。降圧チョッパ回路１２２５からの電力供給によりＬＥＤ２１２ｂが点灯する。
【００３８】
降圧チョッパ回路１２２５は、ダイオードＤ２と、電解コンデンサＣ３と、インダクタＴ２と、Ｎチャネル型のスイッチング素子Ｑ２からなる。スイッチング素子Ｑ２は、ゲートが降圧チョッパ回路制御部Ｕ２の出力端に接続され、ドレインがダイオードＤ２のアノードと、インダクタＴ２の一端に接続されている。インダクタＴ２の他端は電解コンデンサＣ３及びＬＥＤ２１２ｂのカソードに接続されている。
【００３９】
スイッチング素子Ｑ２がオンするとＬＥＤ２１２ｂ、インダクタＴ２、スイッチング素子Ｑ２の経路で電流が流れる。このとき、インダクタＴ２にエネルギーが蓄積する。また、スイッチング素子Ｑ２がオフするとインダクタＴ２に蓄積されたエネルギーが放出され、インダクタＴ２、ダイオードＤ２、ＬＥＤ２１２ｂ、インダクタＴ２の経路で電流が流れる。それを平滑コンデンサＣ３が直流電流に平滑化する。
【００４０】
降圧チョッパ回路制御部Ｕ２の出力端は、スイッチング素子Ｑ２のゲートに接続される。降圧チョッパ回路制御部Ｕ２は、ゲート信号を与えることでスイッチング素子Ｑ２のオンオフ制御を行い、昇圧チョッパ回路１２２３から供給される直流電圧を所望の電圧に降圧する。
制御電源電圧生成回路１２２４の出力端は、昇圧チョッパ回路制御部Ｕ１、降圧チョッパ回路制御部Ｕ２に各々接続されている。制御電源電圧生成回路１２２４は、昇圧チョッパ回路制御部Ｕ１、降圧チョッパ回路制御部Ｕ２への制御電源電圧の供給を行う。
【００４１】
なお、上記実施の形態では、昇圧チョッパ方式及び降圧チョッパ方式を用いたが、これ以外の方式を用いたＤＣ−ＤＣコンバータを採用しても構わない。例えば、シングルフォワード方式、フライバック方式、プッシュプル方式、ハーフブリッジ方式、フルブリッジ方式、マグアンプ方式、谷埋め回路方式、フライバック方式を用いることも可能である。
Ｄ）回路基板２２１ａへの回路部品２２１ｂの実装構成
次に、回路基板２２１ａへの回路部品２２１ｂの実装構成について、図面を用いて説明する。図６は、照明器具１０００の点灯回路２２１の実装構成を示す実装図であって、（ａ）は、回路基板２２１ａ上面の実装図、（ｂ）は回路基板２２１ａ下面の実装図である。また、図６においては図示していないが、回路基板２２１ａ上には、各回路部品２２１ｂを電気的に接続し、作動させるためのプリント配線や、配線が接続される端子等が形成されている。
【００４２】
点灯回路２２１は、主な構成要素として、長手方向に長尺な平面視矩形の板状部材である回路基板２２１ａと、回路基板２２１ａ上に実装された各種回路部品２２１ｂとを有する。図６（ａ）及び（ｂ）に示すように、回路基板２２１ａは長手方向に長尺な平面視矩形の板状部材であって、回路基板２２１ａの上面と下面には各種回路部品２２１ｂが実装されている。
【００４３】
回路基板２２１ａは、長手方向の中心付近に第１領域２２１ａ１と、第１領域２２１ａ１に対し長手方向両側に各々位置する第２領域２２１ａ２及び第３領域２２１ａ３とを有する。回路基板２２１ａ上面における第２領域２２１ａ２および第３領域２２１ａ３には、回路部品２２１ｂのうち高さが高い部品が実装されている。回路基板２２１ａ上面における第１領域２２１ａ１には回路部品２２１ｂのうち高さが低い部品が実装されているか、又は回路部品２２１ｂが実装されていない。回路基板２２１ａ下面における第１領域２２１ａ１、第２領域２２１ａ２、および第３領域２２１ａ３には、回路部品２２１ｂのうち高さが低い部品が実装されている。
【００４４】
具体的には、例えば、回路基板２２１ａの第２領域２２１ａ２上面には、左方から順に、入力フィルタ回路１２２１を構成する回路部品２２１ｂ、および昇圧チョッパ回路１２２３を構成する回路部品２２１ｂのうち高さが高い部品が実装されている構成としてもよい。第２領域２２１ａ２下面には、例えば、左方から順に整流回路１２２２を構成する回路部品２２１ｂ、および昇圧チョッパ回路１２２３及び昇圧チョッパ回路制御部Ｕ１を構成する回路部品２２１ｂのうち高さが低い部品が実装されている構成としてもよい。
【００４５】
また、回路基板２２１ａの第１領域２２１ａ１上面には、例えば、回路部品２２１ｂが実装されておらず配線パターンだけが形成されている構成としてもよい。第１領域２２１ａ１下面には、例えば、制御電源電圧生成回路１２２４を構成する回路部品２２１ｂが実装されている構成としてもよい。
また、回路基板２２１ａの第３領域２２１ａ３上面には、例えば、降圧チョッパ回路１２２５を構成する回路部品２２１ｂのうち高さが高い部品が実装されている構成としてもよい。第３領域２２１ａ３下面には、例えば、降圧チョッパ回路１２２５及び降圧チョッパ回路制御部Ｕ２を構成する回路部品２２１ｂのうち高さが低い部品が実装されている構成としてもよい。
【００４６】
このように、スィッチング回路である昇圧チョッパ回路１２２３と降圧チョッパ回路１２２５とを、第１領域２２１ａ１を挟んで離間させることにより、互いのノイズ干渉が減少し各々の回路のノイズ耐性が向上する。
回路基板２２１ａの長手方向における第１領域２２１ａ１の長さは、少なくとも２０ｍｍ以上であることが好ましく、３０ｍｍ以上であることがより好ましく、さらには４０から５０ｍｍの範囲とすることがより一層好ましい。回路基板２２１ａの長手方向に垂直な短手方向における第１領域２２１ａ１の幅は、少なくとも２０ｍｍ以上であることが好ましく、３０ｍｍ以上であることがより好ましい。また、図６（ａ）及び（ｂ）に示すように、回路基板２２１ａの短手方向の幅全体にわたって第１領域２２１ａ１を形成してもよい。
【００４７】
回路基板２２１ａは、回路部品２２１ｂのうち高さが低い部品が実装されているか、又は回路部品２２１ｂが実装されていない第１領域２２１ａ１を設けたことにより、全体として基板面積が拡大する。そのため、第１領域２２１ａ１を設けない場合に比べて放熱面積が増加し回路基板２２１ａからの放熱性が向上する。これにより、回路部品２２１ｂの温度を低減できる。
【００４８】
図７は、照明器具１０００の点灯回路２２１の外観斜視図である。上述のとおり、点灯回路２２１は、回路基板２２１ａ上面における第２領域２２１ａ２および第３領域２２１ａ３には、回路部品２２１ｂのうち高さが高い部品が実装されている。回路基板２２１ａ上面における第１領域２２１ａ１には回路部品２２１ｂが実装されていない。回路基板２２１ａ下面には、回路部品２２１ｂのうち高さが低い部品が実装されている。
【００４９】
これにより、図７に示すように、点灯回路２２１では、回路基板２２１ａを平面視したとき、長手方向の中心部付近に位置する回路基板上の第１領域２２１ａ１における点灯回路２２１の高さＨ221a1が、第１領域２２１ａ１の長手方向両側に位置する第２領域２２１ａ２および第３領域２２１ａ３における点灯回路２２１の高さＨ221a2およびＨ221a3よりも低く構成することができる。
【００５０】
ここで、第１領域２２１ａ１における点灯回路２２１の高さＨ221a1とは、第１領域２２１ａ１に実装されている回路部品２２１ｂ１中最も高い部品の高さをさす。同様に、第２領域２２１ａ２および第３領域２２１ａ３における点灯回路２２１の高さＨ221a2およびＨ221a3とは、各々第２領域２２１ａ２および第３領域２２１ａ３に実装されている回路部品２２１ｂ１中各々の領域において最も高い部品の高さをさす。
【００５１】
（２）回路ケース２２２
回路ケース２２２は、絶縁性を有する材料から形成され、全体形状として、下端が開口し上端が閉口した有底筒状の部材である。回路ケース２２２が形成される絶縁性を有する材料としては、例えば、熱伝導性樹脂等を用いることができる。
回路ケース２２２の筒状部分が回路基板２２１ａの周縁に係合することにより回路ケース２２２が回路基板２２１ａに固定され、この状態で回路ケース２２２が回路基板２２１ａの上面を覆う。点灯回路２２１が回路ケース２２２に固定された状態で、回路ケース２２２は、ネジ留めや接着剤等（不図示）を用いて取付部材２１１の上面２１１ｅに固定される。なお、点灯回路２２１は、係合構造やネジ留め等（不図示）により取付部材２１１の上面１１１ｅに固定されるようにしてもよい。
【００５２】
回路ケース２２２は、筒の上側の底に相当する回路ケース上板部分２２２ａ、短手方向の筒壁に相当する一対の回路ケース側板部分２２２ｂ、長手方向の筒壁に相当する一対の回路ケース側板部分２２２ｃを有する。
回路ケース側板部分２２２ｂは、上方が開いたコの字形の形状をなしている。そのため、回路ケース側板部分２２２ｂは、コの字形の中央の低背側板部分２２１ｂ１、その長手方向の両側に位置する高背側板部分２２１ｂ２および２２１ｂ３からなる。これに伴い、回路ケース上板部分２２２ａは高さの異なる３つの部分からなる。回路ケース上板部分２２２ａは、コの字形の中央の低背上板部分２２１ａ１、その長手方向の両側に位置する高背上板部分２２１ａ２、２２１ａ３からなる。回路ケース側板部分２２２ｃには、配線部材２３１及び２３２を通すための配線用切り欠き２２２ｃ２がそれぞれ形成されている。
【００５３】
回路ケース２２２を点灯回路２２１にかぶせた状態では、回路ケース上板部分２２２ａにおける低背上板部分２２１ａ１は、点灯回路２２１の回路基板２２１ａ上の第１領域２２１ａ１の上方に位置する。回路ケース上板部分２２２ａにおける高背上板部分２２１ａ２及び高背上板部分２２１ａ３は、各々点灯回路２２１の回路基板２２１ａ上の第２領域２２１ａ２及び第３領域２２１ａ３の上方に位置する。
【００５４】
（３）絶縁シート２２３
絶縁シート２２３は、樹脂等の電気絶縁性の材料から成るシート状の部材であり、点灯回路２２１の下面と取付部材２１１の上面１１１ｅとの間に配置され、双方の間の電気的絶縁を確保する。絶縁シート２２３の下面には接着剤または粘着剤が塗布されており、絶縁シート２２３が取付部材２１１の上面２１１ｅに接着される。なお、取付部材２１１が、樹脂等の電気絶縁性の材料から形成される場合には、絶縁シート２２３を備えない構成としてもよい。
【００５５】
（４）配線部材２３１、２３２
点灯回路２２１は、長手方向の各終端部に配線部材２３１及び２３２に接続されている。配線部材２３１及び２３２は先端にコネクタ２３１ａ及び２３２ａを有する。配線部材２３１のコネクタ２３１ａは端子台ブロック１２０に接続されている配線部材１３１のコネクタ１３１ａと接続されている。これにより、点灯回路２２１には配線部材１３１及び２３１を介して商用交流電源から交流電力が供給される。また、配線部材２３２のコネクタ２３２ａはＬＥＤ基板２１２のコネクタ２１２ｃに接続され、点灯回路２２１は配線部材２３２を介してＬＥＤ２１２ｂに直流電力を出力する。
【００５６】
（２．器具本体部１００）
器具本体部１００は、図２に示すように、主な構成要素として、器具本体１１０、端子台ブロック１２０を有する。
［１．器具本体１１０］
器具本体１１０は、板金に曲げ加工を施すことにより形成されており、所謂直管形蛍光灯が取り付けられる器具本体に類似した長尺な形状を有する。器具本体１１０の下側（天井材に取り付けられる側とは反対側）の部分には、発光ユニット２００が取り付けられる。即ち、発光ユニット２００は器具本体１１０によりその下側に保持される。
【００５７】
器具本体１１０の下側部分には、長手方向（図２において、Ｘ方向）の略全長にわたって下方に開口した（上方に凹入した）長尺な凹部である収容凹部１１１が形成されている。発光ユニット２００が器具本体部１００に取り付けられた状態において、回路ケース２２２の少なくとも一部は、収容凹部１１１内に位置しており、収容凹部１１１の開口は、取付部材２１１により閉塞されている。収容凹部１１１の器具本体部１００長手方向に垂直な短手方向（図２において、Ｙ方向、以後「幅方向」とする）における両側には、収容凹部１１１から離れるにつれて上方に近づく方向に傾斜する傾斜面１１２が形成されている。器具本体１１０の長手方向における両端には、エンドキャップ１１３がそれぞれ取り付けられており、これにより、器具本体１１０の形状が保持される。
【００５８】
収容凹部１１１の凹入面である内面１１１ａは、水平方向（上下方向に直交する方向であり、図２におけるＸＹ平面に沿った方向）に平坦な上内面１１１ａ１と、上下方向に平坦な側内面１１１ａ２とを有する。上内面１１１ａ１には、天井裏からの配線を通すための貫通孔である配線用孔１１４が長手方向の中心付近に形成されている。配線用孔１１４の直径は配線を通すことができる直径であればよく、例えば、２０から４０ｍｍとしてもよい。また、上内面１１１ａ１には、照明器具１０００を天井材等に固定するための固定具（例えば、吊りボルト等）を通すための貫通孔である固定用孔１１５が複数個（実施の形態においては、２個）形成されている。さらに、側内面１１１ａ２には、発光ユニット２００を照明器具１０００を器具本体１１０に固定するためのフックを懸架すための貫通孔である係合孔１１６が複数個（実施の形態においては、対向する各側内面１１１ａ２毎に各々２個合計４個）形成されている。発光ユニット２００を器具本体１１０へ固定するための構造については後述する。
【００５９】
［２．端子台ブロック１２０］
端子台ブロック１２０は、器具本体１１０の上内面１１１ａ１における配線用孔１１４の器具本体部１００幅方向（Ｙ方向）近傍に配置され、主な構成要素として、端子台１２１、取付金具１２２および配線部材１３１を有する。本実施の形態では、端子台ブロック１２０は配線用孔１１４の器具本体部１００幅方向（Ｙ方向）近傍に配置されている構成としたが、器具本体１１０の内面１１１ａ内の他の位置に配置する構成であってもよい。
【００６０】
端子台１２１は、天井裏から天井１（図１８参照）を通して室内側（下側）へと導出された配線部材３０１が接続される。また、点灯回路部２２０に向けて導出される配線部材１３１が接続されている。配線部材３０１と配線部材１３１とは端子台ブロック１２０上で電気的に接続されている。配線部材１３１は先端にコネクタ１３１ａを有し、コネクタ１３１ａは点灯回路２２１の入力端子１２２０から導出された配線部材２３１のコネクタ２３１ａに接続され、配線部材１３１及び２３１を介して点灯回路２２１に商用交流電源から交流電力が供給される。
【００６１】
端子台１２１は、取付金具１２２により器具本体１１０の上内面１１１ａ１に固定される。端子台１２１および取付金具１２２の器具本体１１０の上内面１１１ａ１への固定は、係合構造やネジ留め（不図示）、接着剤等を用いて行われる。端子台１２１が取り付けられた取付金具１２２が、器具本体１１０に固定されてもよい。また、取付金具１２２が端子台１２１の一部を押さえつけるように器具本体１１０に取り付けられることにより、端子台１２１が器具本体１１０に固定されてもよい。
【００６２】
なお、上述のとおり、点灯回路２２１の出力端子１２２６から配線部材２３２導出され、配線部材２３２の先端のコネクタ２３２ａはＬＥＤ基板２１２のコネクタ２１２ｃと接続されている。これにより、点灯回路２２１は配線部材２３２を介してＬＥＤ２１２ｂに直流電力を出力する。
＜３．照明器具１０００と配線部材３０１との位置関係＞
図８は、照明器具１０００を、図１における断面Ｂ−Ｂで切った断面図である。図８に示すように、照明器具１０００は天井１に器具本体１１０の上面を取着面として取り付けられている。天井１に開設された配線用孔４と器具本体１１０の上内面１１１ａ１に存する配線用孔１１４とが平面視において一致するように、照明器具１０００が天井１に取り付けられる。ここで、上述のとおり、配線用孔１１４は器具本体１１０の長手方向中心に位置する。
【００６３】
回路ケース側板部分２２２ｂは、上述のとおり、上方が開いたコの字形の形状をなしている。そして、回路ケース上板部分２２２ａにおけるコの字形の中央の低背上板部分２２１ａ１が、器具本体１１０の長手方向中心に位置するように配置される。そのため、低背上板部分２２１ａ１の水平方向の中心付近に器具本体１１０の配線用孔１１４が配置される位置関係となる。このとき、低背上板部分２２１ａ１の水平方向中心と、器具本体１１０の配線用孔１１４とは一致することが好ましい。また、器具本体１１０の配線用孔１１４が低背上板部分２２１ａ１の水平方向中心からオフセットされる場合には、オフセット量は±２０ｍｍ以下であることが好ましい。
【００６４】
回路ケース上板部分２２２ａにおける低背上板部分２２１ａ１は、点灯回路２２１の回路基板２２１ａ上に実装されている回路部品２２１ｂの高さがその両側に位置する第２領域２２１ａ２及び第３領域２２１ａ３と比べて低い第１領域２２１ａ１の上方に位置する。そのため、図８に示すように、低背上板部分２２１ａ１の高さＬ1は、その長手方向の両側に位置する高背側板部分２２１ｂ２及び２２１ｂ３の高さＬ2及びＬ3よりも低く構成されている。
【００６５】
すなわち、照明器具１０００では、回路基板２２１ａを平面視したとき、配線用孔１１４及び、配線用孔１１４の周辺領域と重なる、回路基板２２１ａ上の第１領域２２１ａ１における、点灯回路部２２０の高さＬ1が、第１領域２２１ａ１に対し、長手方向両側に各々位置する、回路基板上２２１ａの第２領域２２１ａ２及び第３領域２２１ａ３における、点灯回路部２２０の高さＬ2及びＬ3よりも低い構成を採る。ここで、「配線用孔１１４の周辺領域」とは、配線用孔１１４を通して器具本体１１０の収容凹部１１１に導出された配線部材３０１が端子台ブロック１２０に向けて屈曲するときに、高さＬ2及びＬ3より低い高さにおいて配線部材３０１が占め得る領域である。
【００６６】
例えば、高さＬ1は、高さＬ2及びＬ3よりも、少なくとも１５ｍｍ以上低く構成されていることが好ましく、２０ｍｍ以上低く構成されていることがより好ましい。
これにより、天井裏から天井１の配線用孔４及び器具本体１１０の配線用孔１１４を通して器具本体１１０の収容凹部１１１に導出された配線部材３０１は回路ケース上板部分２２２ａとは当接することはない。配線部材３０１は、回路ケース上板部分２２２ａの低背上板部分２２１ａ１と器具本体１１０の上内面１１１ａ１との間の空間１１１ｂ内で、端子台ブロック１２０に向けて屈曲し端子台ブロック１２０に接続される。そのため、配線部材３０１を回路ケース上板部分２２２ａと上内面１１１ａ１との間で挟み込むことを防止でき、配線部材３０１の信頼性を損ねることなく照明器具１０００を天井１に取り付けることができる。
【００６７】
端子台ブロック１２０には点灯回路部２２０に向けて導出される配線部材１３１が接続されている。配線部材１３１は、回路ケース上板部分２２２ａの低背上板部分２２１ａ１上方において、端子台ブロック１２０から点灯回路部２２０の幅方向（Ｙ方向）に向けて導出される。そして、配線部材１３１は、点灯回路部２２０の短手方向（Ｙ方向）端部において、点灯回路部２２０の入力端子１２２０が存する長手方向（Ｘ方向）端部の方向に屈曲し、さらに点灯回路部２２０の側方を点灯回路部２２０の長手方向（Ｘ方向）に沿って導出される。上述のとおり、配線部材１３１は先端にコネクタ１３１ａを有している。コネクタ１３１ａは、点灯回路部２２０の入力端子１２２０が存する長手方向（Ｘ方向）端部近傍にて、入力端子１２２０から導出された配線部材２３１先端のコネクタ２３１ａに接続される。
【００６８】
なお、本実施の形態では、端子台ブロック１２０は配線用孔１１４の器具本体部１００幅方向（Ｙ方向）近傍に配置され、配線部材１３１は、点灯回路部２２０の側方を点灯回路部２２０の長手方向（Ｘ方向）に沿って導出される構成を一例として示した。しかしながら、端子台ブロック１２０や配線部材１３１の配置は、上記した例に限られず、器具本体部１１０における他の位置に配置してもよい。
【００６９】
＜４．発光ユニット２００を器具本体１１０へ固定するための構造＞
図９は、照明器具１０００において、照明器具に発光ユニットが取り付けられる状態を示す図１における断面Ａ−Ａで切った断面図である。（ａ）は、照明器具の係合孔に発光ユニットの係合爪が挿入された状態を示す断面図、（ｂ）は、電源部の一部が照明器具の収容凹部内に収容された状態を示す断面図、（ｃ）は、発光ユニットの照明器具への取り付けが完了した状態を示す断面図である。
【００７０】
図２及び図９（ａ）に示すように、発光ユニット２００は、取付部材２１１の長手方向に沿った一方の側縁部２１１ｆに、係合爪２４０を複数個（実施の形態においては２個）有している。そして、器具本体１１０は、収容凹部１１１の内面１１１ａの側内面１１１ａ２には、複数の係合爪２４０それぞれに対応した位置に貫通孔である係合孔１１６を有している。
【００７１】
図９（ａ）、（ｂ）、（ｃ）に示すように、照明器具１０００においては、係合爪２４０および係合孔１１６を中心に発光ユニット２００を回転させて発光ユニット２００が器具本体部１００に取り付けられる。このとき、天井１の配線用孔４及び器具本体１１０の配線用孔１１４を通して器具本体１１０の収容凹部１１１に導出された配線部材３０１は、回路ケース上板部分２２２ａとは当接することはない。回路ケース上板部分２２２ａの低背上板部分２２１ａ１の上方に位置するためである。そして、発光ユニット２００の器具本体１１００への取り付けが完了時には、図９（ｃ）に示すように、配線部材３０１は、回路ケース上板部分２２２ａの低背上板部分２２１ａ１と器具本体１１０の上内面１１１ａ１との間の空間１１１ｂ内で、端子台ブロック１２０に向けて屈曲する。発光ユニット２００において、係合爪２４０とは反対側の器具本体部１００への固定については、特に限定されないが、ネジ留め、係合構造、接着剤等を用いることができる。
【００７２】
なお、本実施の形態においては、係合孔１１６は貫通孔であったが、これに限られず、例えば、凹部であってもよい。また、係合爪と係合孔（または係合凹部）による係合構造に限られず、軸と軸受を備えた構成でもよい。要するに、ヒンジ機能を果たすことができれば、係合構造の形態については、特に限定されない。
＜５．実施の形態の効果について＞
（１）天井１の取付範囲内への照明器具１０００の装着、薄型化について
実施の形態に係る照明器具１０００を天井１に装着したときの、天井面における取付範囲との関係、照明器具１００の厚みについて説明する。図１０は、実施の形態に係る照明器具１０００の構成の一例である６０ｃｍ長の照明器具を示す概略図であって、（ａ）は横断面図、（ｂ）は下面より視した投影図である。図１７における天井面の取付範囲３に装着する６０ｃｍ長の照明器具の構成の一例として示したものである。
【００７３】
図１０（ａ）及び（ｂ）において、器具本体部１００と光源部２１０は長手方向の長さが６０ｃｍに構成されている。同図に示すように、点灯回路部２２０の幅は、器具本体部１００の幅方向（Ｙ方向）において、器具本体６の幅全体をほぼ占めるように構成されている。一方、器具本体部１００の長手方向（Ｘ方向）においても、点灯回路部２２０の長さは器具本体部１００の長さの全体をほぼ占めるように構成されている。天井１における取付範囲３の中心付近には配線用孔４が開設されており、配線用孔４から配線部材３０１が点灯回路部２２０の上方から器具本体部１００内に導入されている。そして、配線部材３０１は、端子台ブロック１２０、配線部材１３１に順次接続され、配線部材１３１は器具本体部１００内の点灯回路部２２０の左端部に接続されている。
【００７４】
上述のとおり、回路基板２２１ａを平面視したとき、配線用孔１１４及び配線用孔１１４の周辺領域と重なる回路基板２２１ａ上の第１領域２２１ａ１における点灯回路部２２０の高さが、第１領域２２１ａ１に対し長手方向両側に各々位置する回路基板２２１ａ上の第２領域２２１ａ２及び第３領域２２１ａ３における点灯回路部２２０の高さよりも低く構成されている。
【００７５】
これにより、点灯回路部２２０の第１領域２２１ａ１上方には、配線用孔４から器具本体部１００内に導入された配線部材３０１が左方に向けて屈曲するための空間１１１ｂが存在する。図１９（ａ）及び（ｂ）に示した例のように点灯回路部の上方に余分な空間を要しない。そのため、照明器具１０００の高さ方向（Ｚ方向）の寸法は、器具本体部１００と発光ユニット２００を合わせた正味の高さＨ1001となり、図１９（ａ）及び（ｂ）に示した例に対し照明器具１０００の天井１からの高さＨ1001を薄型化できる。
【００７６】
その結果、図１０（ｂ）に示すように、照明器具１０００は、天井１の取付範囲３内に収まるように装着することができる。併せて、照明器具１０００の天井１からの高さＨ1001は、図１８（ａ）に示すＨ1と等価となり照明器具１０００のデザインを損ねることはない。図１９（ａ）及び（ｂ）に示した例に比べて照明器具１０００の天井１からの高さＨ1001を薄型化できる。
【００７７】
図１１は、実施の形態に係る照明器具１０００の構成一例である１２０ｃｍ長の照明器具を示す概略図であって、（ａ）は横断面図、（ｂ）は下面より視した投影図である。図１７における天井面の取付範囲２に装着する１２０ｃｍ長の照明器具の構成の一例として示したものである。照明器具１０００の構成を、器具本体部１００の長手方向の長さが大きい１２０ｃｍ長の照明器具に用いた場合でも、図１０に示した場合と同様に、照明器具１０００は、天井１の取付範囲２内に収まるよう装着することができる。併せて、照明器具１０００の天井１からの高さＨ1002は、図１８（ａ）に示すＨ1と等価となり照明器具１０００のデザインを損ねることはない。
【００７８】
（２）異なる長手方向寸法に係る照明器具間での点灯回路部２２０の共用化について
図１１に示すように、照明器具１０００の構成を１２０ｃｍ長等の照明器具に用いた場合と、照明器具１０００の構成を６０ｃｍ長の照明器具に用いた場合において、同一の点灯回路部２２０を使用することができる。これは、１２０ｃｍ長の照明器具に図１８に示した構成を用いた場合には困難であったことである。これにより、器具本体部１００の長手方向寸法にかかわらず点灯回路部２２０の共用化が図れ、多品種生産において構成部品の共用化に伴うコストダウンを図ることができる。
【００７９】
（３）器具本体部１００への発光ユニット２００の着脱容易化について
光源部の出力や機能（例えば調光機能など）が異なると、点灯回路に要求される性能も異なる。従って、光源部を新しいものに取り換える場合、点灯回路もそれに適したものに取り換えるのが好ましい。照明器具１０００は、天井１に取り付けられる器具本体部１００に、光源部２１０と点灯回路部２２０等を有する発光ユニット２００を着脱可能に保持する構成を採る。
【００８０】
すなわち、光源部２１０と点灯回路部２２０とが一体化された発光ユニット２００が取り付けられる構成とし、さらに、器具本体部１００に対し容易に発光ユニット２００を着脱できる構成とした。具体的には、上述のとおり、発光ユニット２００の係合爪２４０を器具本体部１００の係合孔１１６に係合して、そこを中心に発光ユニット２００を回転させて発光ユニット２００が器具本体部１００に取り付ける構成を有している。
【００８１】
このとき、図１０（ａ）及び（ｂ）、図１１（ａ）及び（ｂ）に示すように、点灯回路部２２０は、発光ユニット２００の長手方向中心に対して対称となる位置に配置されている。
上述のとおり、点灯回路２２１において、長手方向の中心部付近に位置する回路基板上の第１領域２２１ａ１上面には回路部品２２１ｂが実装されていないか、又は回路部品２２１ｂのうち高さが高い部品が実装されている。第１領域２２１ａ１の長手方向両側に位置する第２領域２２１ａ２および第３領域２２１ａ３上面には回路部品２２１ｂのうち高さが高い部品が実装されている構成されている。そのため、点灯回路部２２０の長手方向における重量バランスは長手方向中心に対し概ね対称となっている。この点灯回路部２２０を発光ユニット２００の長手方向中心に対して対称となる位置に配置することにより、点灯回路部２２０の長手方向における重量バランスは発光ユニット２００の長手方向中心に対して対称となる。
【００８２】
これにより、係合爪２４０と係合孔１１６を中心に発光ユニット２００を回転させて器具本体部１００に取り付ける際に、長手方向に複数ある各係合爪２４０と各係合孔１１６にかかる重量負荷が等価となり発光ユニット２００の照明器具１０００に対する着脱作業が容易となる。
図１２、図１３、図１４は、発明者が想定した６０ｃｍ長の照明器具の一例を示す比較例の概略図であって、図１９、図２０、図２１に示した例に、各々発光ユニット２０、３０、４０の範囲を示した概略図である。また、同様に、図１５は、発明者が想定した照明器具の一例を示す比較例の概略図であって、図１８に示した例に、発光ユニット１０の範囲を示した概略図である。図１３、図１４および図１５に示す比較例では、各々点灯回路部２７、７及び７は、発光ユニット３０、４０及び１０の長手方向中心に対して右方に位置し、左右対称となる位置に配置されていない。そのため、係合爪２４０と係合孔１１６を中心に発光ユニット２００を回転させて器具本体部１００に取り付ける際に、長手方向に複数ある各係合爪２４０と各係合孔１１６にかかる重量負荷がアンバランスになり発光ユニット２００の照明器具１０００に対する着脱作業がしにくい。
【００８３】
また、発光ユニットの右方に点灯回路部が配置されているので、器具本体に発光ユニットを取り付ける際に、発光ユニットにおいて点灯回路部を保持する部分（照明器具１０００における取付部材２１１に相当する）の曲げ方向の負荷が大きくなり機械的強度がより必要となる。また、図１２に示す比較例では、照明器具の薄型化が図れない。
これに対し、実施の形態に係る照明器具１０００では、上述したとおり、天井１の取付範囲内への照明器具１０００の装着及び照明器具の薄型化に加えて、長手方向における重量負荷が等価となり発光ユニット２００の照明器具１０００に対する着脱作業が容易となる。また、発光ユニット２００の取付部材２１１に対する重量負荷が小さく取付部材２１１の機械的強度を小さくできる。
【００８４】
＜６．変形例＞
以上、本発明の構成を、実施の形態基づいて説明したが、本発明は上記実施の形態に限られない。例えば、以下のような変形例を実施することができる。
上記実施の形態では、発光ユニット２００の係合爪２４０を器具本体部１００の係合孔１１６に係合して、そこを中心に発光ユニット２００を回転させて発光ユニット２００が器具本体部１００に取り付ける構成とした。また、回路基板２２１ａの上面を覆う回路ケース２２２を備える。しかしながら、光源部２１０と点灯回路部２２０とが一体化された発光ユニット２００が器具本体部１００から容易に着脱できる構成であればよく、上記構成から適宜変形してもよい。
【００８５】
図１６（ａ）は、変形例に係る照明器具１０００Ａの器具本体部１００Ａと発光ユニット２００Ａとが分離された状態を示す斜め下方から見た斜視図である。（ｂ）は、照明器具１０００Ａにおいて、図１における断面Ａ＝Ａと同じ位置で切った断面図である。
図１６（ａ）及び（ｂ）に示すように、器具本体部１００Ａは、発光ユニット２００Ａが器具本体部１００Ａに対し鉛直方向に相対移動することにより発光ユニット２００Ａを着脱可能に保持する。さらに、回路基板２２１ａの上面を覆う回路ケース２２２を備えず、発光ユニット２００Ａの取付部材２１１上面２１１ｅに点灯回路２２１が露出している構成をとる。この場合、点灯回路２２１は、係合構造やネジ留め等（不図示）により取付部材２１１の上面１１１ｅに固定される。また、発光ユニット２００Ａを器具本体部１００Ａに取り付ける際に、点灯回路２２１は器具本体１１０の収容凹部１１１内に鉛直下方から挿入される。この場合、点灯回路２２１の導電部分と収容凹部１１１の内面１１１ａとの間の距離は、安全規格上必要な距離を満たすよう構成されている。
【００８６】
本変形例に係る照明器具１０００Ａにおいても、実施の形態に係る照明器具１０００と同様に、天井１の取付範囲内への照明器具１０００Ａの装着が可能でありかつ照明器具の薄型化ができる。併せて、実施の形態に係る照明器具１０００と同様に、長手方向における重量負荷が等価となり発光ユニット２００Ａの照明器具１０００Ａに対する着脱作業が容易となる。また、発光ユニット２００Ａの取付部材に対する重量負荷が小さく取付部材の機械的強度を小さくできる。
【００８７】
＜その他の変形例＞
なお、上記の実施の形態に基づいて説明してきたが、本発明は上記の実施の形態に限定されないことはもちろんである。以下のような場合も本発明に含まれる。なお、既に説明した部材と同じ部材が使用されている場合は、その部材と同じ符号を付して説明を簡略若しくは省略している。
【００８８】
（１）上記実施の形態では、照明器具１０００は、長さ６０ｃｍ長及び１２０ｃｍ長の照明器具を例に示した。しかしながら、照明器具１０００は、長尺な形状であればよく、長手方向の長さは特定の寸法に限定されるものでない。照明器具１０００の長手方向の長さは、例えば、６０ｃｍ、１２０ｃｍ、１５０ｃｍ等であってもよい。
（２）上記実施の形態では、回路基板２２１ａは、長手方向に長尺な平面視矩形の板状部材としたが、例えば、フレキシブル基板等による異形形状等、他の形状であってもよい。
【００８９】
（３）回路基板２２１ａの長手方向における第１領域２２１ａ１の長さ、および回路基板２２１ａの短手方向における第１領域２２１ａ１の幅は、上記実施の形態に示した構成に限られない。また、上記実施の形態では、回路基板２２１ａの短手方向の幅全体にわたって第１領域２２１ａ１を形成したが、回路基板２２１ａの短手方向における中心領域に第１領域２２１ａ１を形成する構成としてもよい。
【００９０】
（４）上記実施の形態では、回路基板２２１ａの第２領域２２１ａ２上面には、左方から順に、入力フィルタ回路１２２１を構成する回路部品２２１ｂ、および昇圧チョッパ回路１２２３を構成する回路部品２２１ｂのうち高さが高い部品が実装されている例を示した。下面には、左方から順に整流回路１２２２を構成する回路部品２２１ｂ、および昇圧チョッパ回路１２２３及び昇圧チョッパ回路制御部Ｕ１を構成する回路部品２２１ｂのうち高さが低い部品が実装されている例を示した。しかしながら、上記実施の形態に示した構成に限られず変更可能である。例えば、整流回路１２２２を構成する回路部品２２１ｂは、第２領域２２１ａ２に実装せず他の領域に実装する構成としてよい。また、第２領域２２１ａ２下面には上記部品を実装せず上面に実装する構成としてもよい。
【００９１】
（５）上記実施の形態では、回路基板２２１ａの第１領域２２１ａ１上面には、回路部品２２１ｂが実装されておらず配線パターンだけが形成されている例を示し、下面には、例えば、制御電源電圧生成回路１２２４を構成する回路部品２２１ｂが実装されている例を示した。しかしながら、上記実施の形態に示した構成に限られず変更可能である。例えば、第１領域２２１ａ１上面には回路部品２２１ｂのうち高さが低い部品を実装する構成としてもよい。また、第１領域２２１ａ１下面には上記部品を実装せず上面に実装する構成としてもよい。
【００９２】
（６）上記実施の形態では、回路基板２２１ａの第３領域２２１ａ３上面には、降圧チョッパ回路１２２５を構成する回路部品２２１ｂのうち高さが高い部品が実装されている例を示し、第３領域２２１ａ３下面には、降圧チョッパ回路１２２５及び降圧チョッパ回路制御部Ｕ２を構成する回路部品２２１ｂのうち高さが低い部品が実装されている例を示した。しかしながら、上記実施の形態に示した構成に限られず変更可能である。例えば、第３領域２２１ａ３下面には上記部品を実装せず上面に実装する構成としてもよい。
【００９３】
（７）上記の実施の形態では、光源として、ＬＥＤ素子を用いてフェイスアップ実装した発光モジュールを採用したが、本発明は必ずしもこの場合に限定されない。発光モジュールは、フェイスアップ実装されたものに限定されず基板に搭載されていてもよい。例えば、円形板状の基板の上面に、ＳＭＤ型の光源が複数マトリクス状に配置されている構成でもよい。また、光源として、無機ＥＬ素子や有機ＥＬ素子、ＬＤ（Ｌａｓｅｒ  Ｄｉｏｄｅ）、発光トランジスタ（Ｌｉｇｈｔ  Ｅｍｉｔｔｉｎｇ  Ｔｒａｎｓｉｓｔｏｒ）などを採用してもよい。
【００９４】
（８）上述の実施の形態および各変形例を、部分的に組み合せてもよい。
≪まとめ≫
本実施の形態に係る照明器具は、造営材の一面に取着される長尺形状の照明器具１００であって、上面を造営材への取着面とした長尺形状の器具本体部１００と、器具本体部１００の下面側に器具本体ヴ１００と重ねて配置される長尺形状の点灯回路部２２０と、点灯回路部２００の下方に点灯回路部２００と重ねて配置され、点灯回路部２００から電力の供給を受けて発光する半導体発光素子２１２ｂを有する光源部２１０とを備え、器具本体部１００には、長手方向の中心付近に上面と下面とを貫通する配線用孔１１４が開設されており、点灯回路部２２０は、長尺形状の回路基板２１２ａと回路基板２１２ａの上面に実装された複数の回路部品２１２ｂを有し、回路基板２１２ａを平面視したとき、配線用孔１１４及び配線用孔の周辺領域と重なる回路基板上の第１領域２１２ａ１における点灯回路部２１２ｂの高さが、第１領域２１２ａ１に対し長手方向両側に各々位置する回路基板２１２ａ上の第２領域２１２ａ２及び第３領域２１２ａ３における点灯回路部２２０の高さよりも低いことを特徴とする。
【００９５】
また、別の態様では、点灯回路部２２０の長手方向の長さは、長手方向において器具本体部１００の１／２以上である構成としてもよい。
これにより、天井１における取付範囲内に装着可能であり、照明器具の薄型化が図れ、さらに、光源部２１０及び点灯回路２２０着脱の際の作業性がよい照明器具の構造を実現できる。
【００９６】
≪補足≫
以上で説明した実施の形態および変形例は、いずれも本発明の好ましい一具体例を示すものである。実施の形態で示される数値、形状、材料、構成要素、構成要素の配置位置及び接続形態、工程、工程の順序などは一例であり、本発明を限定する主旨ではない。また、実施の形態における構成要素のうち、本発明の最上位概念を示す独立請求項に記載されていない構成要素については、より好ましい形態を構成する任意の構成要素として説明される。
【００９７】
また、発明を理解しやすく説明するために、上記各実施形態で挙げた各図の構成要素の縮尺は実際のものと異なる場合がある。上記示した各図は模式図であり、必ずしも厳密に図示したものではない。
本発明は上記各実施の形態の記載によって限定されるものではなく、本発明の要旨を逸脱しない範囲において適宜変更可能である。例えば、実施の形態に係る照明器具の部分的な構成および上記各変形例に係る構成を、適宜組み合わせてなる照明装置であっても良い。
【符号の説明】
【００９８】
１０００、１０００Ａ  照明器具
１００  器具本体部
１１０  器具本体
１２０  端子台ブロック
１２１  端子台
１２２  取付金具
２００  発光ユニット
２１０  光源部
２１１  取付部材
２１２  ＬＥＤ基板
２１２ａ  プリント基板
２１２ｂ  ＬＥＤ
２１２ｃ  コネクタ
２２０  点灯回路部
２２１  点灯回路
２２１ａ  回路基板
２２１ｂ  回路部品
２２２  回路ケース
２２３  絶縁シート
２３１  配線部材
２３２  配線部材
３０１  配線部材
【図１】
2015088390.tif 000003
【図２】
2015088390.tif 000004
【図３】
2015088390.tif 000005
【図４】
2015088390.tif 000006
【図５】
2015088390.tif 000007
【図６】
2015088390.tif 000008
【図７】
2015088390.tif 000009
【図８】
2015088390.tif 000010
【図９】
2015088390.tif 000011
【図１０】
2015088390.tif 000012
【図１１】
2015088390.tif 000013
【図１２】
2015088390.tif 000014
【図１３】
2015088390.tif 000015
【図１４】
2015088390.tif 000016
【図１５】
2015088390.tif 000017
【図１６】
2015088390.tif 000018
【図１７】
2015088390.tif 000019
【図１８】
2015088390.tif 000020
【図１９】
2015088390.tif 000021
【図２０】
2015088390.tif 000022
【図２１】
2015088390.tif 000023